(57)【特許請求の範囲】
【請求項１】
木造軸組工法による建物の設計用ＣＡＤデータを記憶した記憶装置と、
前記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、
前記情報取得手段が出力した情報を受け入れて、前記全ての接点において、構造金物の要否を判定しその種類を選択するための選択テーブルにより、前記接点に構造金物を配置するかどうかを判定し、構造金物の種類と配置と型番を決定する構造金物決定手段と、
前記接点において、前記構造金物の干渉の有無を検出する処理と、当該構造金物の位置を修正する処理を実行する干渉検出手段と、
前記構造金物決定手段の出力を受け入れて、前記接点について選択され決定された全ての構造金物の種類とその個数を示すリストからなる構造金物の発注情報を生成する発注情報生成手段と、
前記干渉検出手段の修正処理の結果得られた前記構造金物決定手段の出力を受け入れて、前記接点について選択され決定された構造金物の取り付け位置情報と柱の端部の加工情報とを含むプレカット情報を生成するプレカット情報生成手段と、
前記構造金物決定手段の出力から、前記接点について選択され決定された構造金物の使用部品と取り付け状態を表示する構造金物取付指示書であって、前記発注情報に含まれた構造金物の種類を示す情報と、前記建物の構造の一部であって、前記構造金物の図と、当該構造金物の取り付けのためにプレカットされた前記柱の端部の接点の図を含むもの、を生成する取付指示書生成手段と、
前記取付指示書生成手段が出力する構造金物取付指示書を印刷するプリンタとを備えた構造金物情報生成システム。
【請求項２】
木造軸組工法による建物の設計用ＣＡＤデータを記憶した記憶装置と、
前記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、
前記情報取得手段が出力した情報を受け入れて、前記全ての接点において、構造金物の要否を判定しその種類を選択するための選択テーブルにより、前記接点に構造金物を配置するかどうかを判定し、構造金物の種類と配置と型番を決定する構造金物決定手段と、
前記接点において、前記構造金物の干渉の有無を検出する処理と、当該構造金物の位置を修正する処理を実行する干渉検出手段と、
前記構造金物決定手段の出力を受け入れて、前記接点について選択され決定された全ての構造金物の種類とその個数を示すリストからなる構造金物の発注情報を生成する発注情報生成手段と、
前記干渉検出手段の修正処理の結果得られた前記構造金物決定手段の出力を受け入れて、前記接点について選択され決定された構造金物の取り付け位置情報と柱の端部の加工情報とを含むプレカット情報を生成するプレカット情報生成手段と、
前記構造金物決定手段の出力から、前記接点について選択され決定された構造金物の使用部品と取り付け状態を表示する構造金物取付指示書であって、前記発注情報に含まれた構造金物の種類を示す情報と、前記建物の構造の一部であって、前記構造金物の図と、当該構造金物の取り付けのためにプレカットされた前記柱の端部の接点の図を含むもの、を生成する取付指示書生成手段と、
前記取付指示書生成手段が出力する構造金物取付指示書を表示したウェブページを、ネットワークを通じて建設現場の端末で閲覧可能にするウェブサーバとを備えた構造金物情報生成システム。
【請求項３】
コンピュータを、
木造軸組工法による建物の設計用ＣＡＤデータを記憶した記憶装置と、
前記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、
前記情報取得手段が出力した情報を受け入れて、前記全ての接点において、構造金物の要否を判定しその種類を選択するための選択テーブルにより、前記接点に構造金物を配置するかどうかを判定し、構造金物の種類と配置と型番を決定する構造金物決定手段と、
前記接点において、前記構造金物の干渉の有無を検出する処理と、当該構造金物の位置を修正する処理を実行する干渉検出手段と、
前記構造金物決定手段の出力を受け入れて、前記接点について選択され決定された全ての構造金物の種類とその個数を示すリストからなる構造金物の発注情報を生成する発注情報生成手段と、
前記干渉検出手段の修正処理の結果得られた前記構造金物決定手段の出力を受け入れて、前記接点について選択され決定された構造金物の取り付け位置情報と柱の端部の加工情報とを含むプレカット情報を生成するプレカット情報生成手段と、
前記構造金物決定手段の出力から、前記接点について選択され決定された構造金物の使用部品と取り付け状態を表示する構造金物取付指示書であって、前記発注情報に含まれた構造金物の種類を示す情報と、前記建物の構造の一部であって、前記構造金物の図と、当該構造金物の取り付けのためにプレカットされた前記柱の端部の接点の図を含むもの、を生成する取付指示書生成手段と、
前記取付指示書生成手段が出力する構造金物取付指示書を印刷するプリンタを制御する手段として、機能させることを特徴とする構造金物情報生成プログラム。
【請求項４】
コンピュータを、
木造軸組工法による建物の設計用ＣＡＤデータを記憶した記憶装置と、
前記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、
前記情報取得手段が出力した情報を受け入れて、前記全ての接点において、構造金物の要否を判定しその種類を選択するための選択テーブルにより、前記接点に構造金物を配置するかどうかを判定し、構造金物の種類と配置と型番を決定する構造金物決定手段と、
前記接点において、前記構造金物の干渉の有無を検出する処理と、当該構造金物の位置を修正する処理を実行する干渉検出手段と、
前記構造金物決定手段の出力を受け入れて、前記接点について選択され決定された全ての構造金物の種類とその個数を示すリストからなる構造金物の発注情報を生成する発注情報生成手段と、
前記干渉検出手段の修正処理の結果得られた前記構造金物決定手段の出力を受け入れて、前記接点について選択され決定された構造金物の取り付け位置情報と柱の端部の加工情報とを含むプレカット情報を生成するプレカット情報生成手段と、
前記構造金物決定手段の出力から、前記接点について選択され決定された構造金物の使用部品と取り付け状態を表示する構造金物取付指示書であって、前記発注情報に含まれた構造金物の種類を示す情報と、前記建物の構造の一部であって、前記構造金物の図と、当該構造金物の取り付けのためにプレカットされた前記柱の端部の接点の図を含むもの、を生成する取付指示書生成手段と、
前記取付指示書生成手段が出力する構造金物取付指示書を表示したウェブページを、ネットワークを通じて建設現場の端末で閲覧可能にする、ウェブサーバとして機能させることを特徴とする構造金物情報生成プログラム。
【発明の詳細な説明】
【０００１】
【発明の属する技術分野】
本発明は、木造建物の設計用ＣＡＤデータを利用して、構造金物の情報を生成する構造金物情報生成システムに関する。
【０００２】
【従来の技術】
木造軸組工法、ツーバイフォー工法、パネル工法、ラーメン構造等を採用する木造建物においては、構造材（垂直材や横架材）や構造用面材等の建築用部材等を相互に固定するために、多数の構造金物が使用される。例えば、木造軸組工法で使用される建築用部材は、工事現場での加工作業を簡略化し、あるいは省略できるように、プレカット工場で予め切断加工される。部材の端部等には、他の部材と接続するための予備加工が施される。このとき、同時に、構造金物の取り付け箇所を選定して、取り付け用の溝などの予備加工を施すようにしている。取り付け場所の決まった構造金物はプレカットされた構造材等と共に梱包されて建設現場に発送される。他の部材においても、建築用の部材はそれぞれ予備加工され、構造金物とともに建設現場に発送される。
【０００３】
【発明が解決しようとする課題】
ところで、上記のような従来の技術には、次のような解決すべき課題があった。
構造金物は取り付け場所に応じて多種多様な形状をしており、そのサイズも様々である。また、一軒の建物に使用される構造金物の数は非常に多い。従って、全ての構造金物を誤りなく手配して建設現場に発送する作業は非常に煩雑になる。また、建設現場において部品が不足すると工期が遅れ、部品が余分に届けられると無駄が生じる。さらに、設計図面を見ながら構造金物の取り付けの要否を決め、構造金物の種類や取り付け位置を決めるには、高度の専門知識を必要とする。構造金物の取り付けの要否について判断を誤れば建物の強度が不足するなどの問題が発生する。構造金物の種類や取り付け位置を正しく決めて必要なプレカット処理をしておかなければ、予備加工が役に立たなかったり、他の構造金物と衝突して取り付け位置の変更等の処理が必要になり、構造金物の取り付けに時間がかかるという問題がある。また、構造金物の発注ミスが発生すれば建設現場において構造金物の数に過不足が生じるという問題もある。
【０００４】
【課題を解決するための手段】
本発明は以上の点を解決するため次の構成を採用する。
〈構成１〉
木造軸組工法による建物の設計用ＣＡＤデータを記憶した記憶装置と、上記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、上記情報取得手段が出力した情報を受け入れて、上記全ての接点において、構造金物の要否を判定しその種類を選択するための選択テーブルにより、上記接点に構造金物を配置するかどうかを判定し、構造金物の種類と配置と型番を決定する構造金物決定手段と、上記接点において、上記構造金物の干渉の有無を検出する処理と、当該構造金物の位置を修正する処理を実行する干渉検出手段と、上記構造金物決定手段の出力を受け入れて、上記接点について選択され決定された全ての構造金物の種類とその個数を示すリストからなる構造金物の発注情報を生成する発注情報生成手段と、上記干渉検出手段の修正処理の結果得られた上記構造金物決定手段の出力を受け入れて、上記接点について選択され決定された構造金物の取り付け位置情報と柱の端部の加工情報とを含むプレカット情報を生成するプレカット情報生成手段と、上記構造金物決定手段の出力から、上記接点について選択され決定された構造金物の使用部品と取り付け状態を表示する構造金物取付指示書であって、上記発注情報に含まれた構造金物の種類を示す情報と、上記建物の構造の一部であって、上記構造金物の図と、当該構造金物の取り付けのためにプレカットされた上記柱の端部の接点の図を含むものを生成する取付指示書生成手段と、上記取付指示書生成手段が出力する構造金物取付指示書を印刷するプリンタとを備えた構造金物情報生成システム。
【０００５】
〈構成２〉
木造軸組工法による建物の設計用ＣＡＤデータを記憶した記憶装置と、上記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、上記情報取得手段が出力した情報を受け入れて、上記全ての接点において、構造金物の要否を判定しその種類を選択するための選択テーブルにより、上記接点に構造金物を配置するかどうかを判定し、構造金物の種類と配置と型番を決定する構造金物決定手段と、上記接点において、上記構造金物の干渉の有無を検出する処理と、当該構造金物の位置を修正する処理を実行する干渉検出手段と、上記構造金物決定手段の出力を受け入れて、上記接点について選択され決定された全ての構造金物の種類とその個数を示すリストからなる構造金物の発注情報を生成する発注情報生成手段と、上記干渉検出手段の修正処理の結果得られた上記構造金物決定手段の出力を受け入れて、上記接点について選択され決定された構造金物の取り付け位置情報と柱の端部の加工情報とを含むプレカット情報を生成するプレカット情報生成手段と、上記構造金物決定手段の出力から、上記接点について選択され決定された構造金物の使用部品と取り付け状態を表示する構造金物取付指示書であって、上記発注情報に含まれた構造金物の種類を示す情報と、上記建物の構造の一部であって、上記構造金物の図と、当該構造金物の取り付けのためにプレカットされた上記柱の端部の接点の図を含むもの、を生成する取付指示書生成手段と、上記取付指示書生成手段が出力する構造金物取付指示書を表示したウェブページを、ネットワークを通じて建設現場の端末で閲覧可能にするウェブサーバとを備えた構造金物情報生成システム。
【０００６】
〈構成３〉
コンピュータを、木造軸組工法による建物の設計用ＣＡＤデータを記憶した記憶装置と、上記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、上記情報取得手段が出力した情報を受け入れて、上記全ての接点において、構造金物の要否を判定しその種類を選択するための選択テーブルにより、上記接点に構造金物を配置するかどうかを判定し、構造金物の種類と配置と型番を決定する構造金物決定手段と、上記接点において、上記構造金物の干渉の有無を検出する処理と、当該構造金物の位置を修正する処理を実行する干渉検出手段と、上記構造金物決定手段の出力を受け入れて、上記接点について選択され決定された全ての構造金物の種類とその個数を示すリストからなる構造金物の発注情報を生成する発注情報生成手段と、上記干渉検出手段の修正処理の結果得られた上記構造金物決定手段の出力を受け入れて、上記接点について選択され決定された構造金物の取り付け位置情報と柱の端部の加工情報とを含むプレカット情報を生成するプレカット情報生成手段と、上記構造金物決定手段の出力から、上記接点について選択され決定された構造金物の使用部品と取り付け状態を表示する構造金物取付指示書であって、上記発注情報に含まれた構造金物の種類を示す情報と、上記建物の構造の一部であって、上記構造金物の図と、当該構造金物の取り付けのためにプレカットされた上記柱の端部の接点の図を含むものを生成する取付指示書生成手段と、上記取付指示書生成手段が出力する構造金物取付指示書を印刷するプリンタを制御する手段として、機能させることを特徴とする構造金物情報生成プログラム。
【０００７】
〈構成４〉
コンピュータを、木造軸組工法による建物の設計用ＣＡＤデータを記憶した記憶装置と、上記記憶装置に記憶された建物の設計用ＣＡＤデータから、建物を構成する各部材の属性情報と、２以上の部材が接する場所での接点の座標と、部材相互の位置関係を示す情報とを取得して出力する情報取得手段と、上記情報取得手段が出力した情報を受け入れて、上記全ての接点において、構造金物の要否を判定しその種類を選択するための選択テーブルにより、上記接点に構造金物を配置するかどうかを判定し、構造金物の種類と配置と型番を決定する構造金物決定手段と、上記接点において、上記構造金物の干渉の有無を検出する処理と、当該構造金物の位置を修正する処理を実行する干渉検出手段と、上記構造金物決定手段の出力を受け入れて、上記接点について選択され決定された全ての構造金物の種類とその個数を示すリストからなる構造金物の発注情報を生成する発注情報生成手段と、上記干渉検出手段の修正処理の結果得られた上記構造金物決定手段の出力を受け入れて、上記接点について選択され決定された構造金物の取り付け位置情報と柱の端部の加工情報とを含むプレカット情報を生成するプレカット情報生成手段と、上記構造金物決定手段の出力から、上記接点について選択され決定された構造金物の使用部品と取り付け状態を表示する構造金物取付指示書であって、上記発注情報に含まれた構造金物の種類を示す情報と、上記建物の構造の一部であって、上記構造金物の図と、当該構造金物の取り付けのためにプレカットされた上記柱の端部の接点の図を含むもの、を生成する取付指示書生成手段と、上記取付指示書生成手段が出力する構造金物取付指示書を表示したウェブページを、ネットワークを通じて建設現場の端末で閲覧可能にする、ウェブサーバとして機能させることを特徴とする構造金物情報生成プログラム。
【００１１】
【発明の実施の形態】
以下、本発明の実施の形態を、木造軸組工法の具体例を用いて説明する。
この発明では、建物の設計用ＣＡＤデータを利用して、コンピュータが自動的に構造金物の取り付けの要否を決定する。同時に構造金物の種類を決定する。さらに、構造金物の取り付け位置を決定し、周辺の構造金物との関係を考慮した位置補正を行う。その結果を利用して、構造金物の発注データを生成する。さらに、構造金物を取り付ける位置に応じたプレカット処理の指示情報を生成する。また、必要に応じて、建設現場において参照できるような構造金物の取り付け情報も生成する。
【００１２】
図１は本発明のシステムの概要を示すブロック図である。
このシステムは、プレカット工場や生産管理部門等に配置されたホストコンピュータ１０によって制御される。図の一点鎖線の枠内には、ホストコンピュータ１０の記憶装置や、ホストコンピュータ１０において動作するコンピュータプログラムの機能ブロック等を図示した。記憶装置１には、ＣＡＤデータ２が記憶されている。ＣＡＤデータ２は、建物の設計などに使用される図面データである。さらに、このシステムを動作させるために、情報取得手段３、構造金物決定手段４、発注情報生成手段５、プレカット情報生成手段６、干渉検出手段７、取付指示書生成手段８といったプログラムが、ホストコンピュータ１０にインストールされている。
【００１３】
情報取得手段３は、ＣＡＤデータ２中に含まれる、建物を構成する各部材の属性情報１１と、２以上の部材が接する場所での接点の座標１２と、部材相互の位置関係１３といった情報を取得する機能を持つ。この情報取得手段３は、データベース検索用のツールなどにより構成するとよい。構造金物決定手段４は、情報取得手段３により取得した情報に基づいて、部材の接点に構造金物を配置するかどうかを判定し、構造金物の種類と配置と型番などの情報１４を決定する機能を持つ。発注情報生成手段５は、構造金物決定手段４の出力する情報１４を受け入れて構造金物の発注情報を生成する機能を持つ。こうして生成された発注情報は、プリンタ１５に向けて出力される。これにより、発注書１７が印刷される。また、発注情報は発注電子データ２７として保存されたり、発注先に送信される。プレカット情報生成手段６は、構造金物決定手段４の出力を受け入れて、各部材の接点に構造金物取り付けのための予備加工を施すように、プレカット情報を生成して、これを出力する機能を持つ。その出力は、例えばプリンタ１６に供給される。これにより、プレカット指示書１８が印刷される。また、プレカット加工機制御情報２８としてプレカット工場の図示しないコンピュータに送信される。干渉検出手段７は、近接する構造金物の相互干渉を検出する機能を持つ。取付指示書生成手段８は、現場における構造金物の取付を支援する指示書を生成する機能を持つ。
【００１４】
図２は、この発明を実施した建物の設計用ＣＡＤデータの主要部説明図である。
このＣＡＤデータは建物の基礎伏図の一部を示すもので、図中には建物の構造材や構造用面材等の部材のシンボルが表示されている。この図面データには、建物を構成する各部材の属性情報と、２以上の部材が接する場所での接点の座標と、部材相互の位置関係を示す属性情報が含まれている。例えば、図中の部材２５上にカーソルを合わせてクリックすると、図の２０Ａに示すような部材の属性情報が表示される。この属性情報には、部材の識別コードと、部材の種類と、長さと、断面寸法と、両端の座標とが示されている。また、図中の補助線２１と２３の交点にカーソルを合わせてクリックすると、図の２０Ｂに示すような属性情報が表示される。この属性情報には、接点の識別コードと、接点の座標と、部材相互の位置関係とが示されている。通常、部材の端が突き当たる部分では、部材の一方の端が短く切り落とされる。端が切り落とされる方の部材を負けと称し、切り落とされない方の部材を勝ちと称して、相互の位置関係を明確にする。この位置関係により構造金物の取り付け位置等も決まる。そこで、部材相互の位置関係の情報も重要になる。
【００１５】
このＣＡＤデータには、後で説明する構造金物決定処理によって、取り付けを決定された構造金物の位置と名称に関する情報が付け加えられる。図中の「アンカーボルト」と表示された構造金物の表示上にカーソルを合わせてクリックすると、図の２０Ｃに示すような構造金物の属性情報が表示される。この属性情報には、構造金物の識別コードと、構造金物の金物名（種類）と、取り付け位置情報とが含まれている。取り付け位置情報は、図の詳細ボタン２０Ｄをクリックすると表示される。その内容は後で図５を用いて説明する。
【００１６】
情報取得手段３（図１）は、ＣＡＤデータ中から全ての部材の接点に関する情報を順番に検出する。１つの接点を検出するたびに、その接点で接続された部材の属性情報１１と接点の座標１２と位置関係１３とを構造金物決定手段４に向けて出力する。構造金物決定手段４は、これらの情報を受け入れるとその接点での構造金物の要否を判定する。構造金物が必要な接点であると判定した時は、構造金物の種類を選択し、構造金物の部材への取り付け、配置などの情報を決定する。さらに構造金物を取り付ける部材の属性データを参照して、構造金物の型番を決定する。属性データ中には、接点に加わる負荷荷重や部材の負担すべき負荷荷重を直接表記することができる。従って、属性データから構造金物の型番を直接決定することもできる。また、既知の構造計算により、そのつど、上記負荷荷重を算出するようにしてもよい。
【００１７】
図３の（ａ）は構造金物の要否を判定しその種類を選択するための構造金物選択テーブルの説明図で、（ｂ）はホールダウン金物型番選択テーブルの説明図である。
構造金物テーブルは、２種の接続部材の名称あるいは識別コードを入力すると、それらの接続条件や接続に必要な構造金物の名称を返す演算テーブルである。例えば土台の上に管柱を垂直に立てる場合に、柱荷重が１．５ｔ以上ならばホールダウン金物が必要と判定する。同時に、土台の上に管柱を垂直に立てる場合には無条件で基礎パッキンと接合金物が必要と判定する。この接合部の構造に応じて、Ａタイプの接合金物の枚数を増やしたり、Ａタイプに代えてＢタイプの接合金物を使用したりする。構造金物がホールダウン金物である場合に、その型番を決めるために（ｂ）に示すような選択テーブルが使用される。ここでは、柱に加わる荷重によって型番を選択できるようにしてある。図の例では、ホールダウン金物の柱荷重が１．５ｔ以上２ｔ以下だから型番がＳ−ＨＤ１５というように選択される。その後、柱の太さや部材相互の位置関係から構造金物の配置を算出する。
【００１８】
以上の処理を、図２に示すＣＡＤ図面中の部材の全ての接点について実行する。
全ての接点について同様の処理を行った後、今度は、各構造金物が相互に干渉する場合があるかどうかを判断する。干渉というのは、別々の目的で取り付けられる構造金物が相互に接近して衝突するようなケースをいう。干渉検出手段７は、このようなケースを検出すると例えばエラーメッセージを出力する。この演算処理は、部材の全ての端部表面で、各構造金物の輪郭線に囲まれた部分の座標値が相互に重複しないかどうかを判定して行えばよい。
【００１９】
干渉検出手段７の出力するエラーメッセージを見た設計担当者は、構造金物の取り付け位置を修正する。もちろん、干渉検出手段７が、干渉の有無を検出する処理と構造金物の位置を修正する処理を、全て自動的に行ってもよい。なお、部材のあらゆる接点について構造金物の選択と配置とを最適化したテーブルデータを準備しておけば干渉検出手段７を動作させる必要は無い。以上の処理の結果得られた構造金物の型番リストを整理して、構造金物の発注情報を生成する。さらに、プレカット工場向けのプレカット情報を生成する。また、後で図６や図７を用いて説明する構造金物取付指示書ウェブページ４４を生成する。
【００２０】
図４（ａ）は、発注情報の内容説明図である。また、（ｂ）はプレカット情報の内容説明図である。
発注情報は図の（ａ）に示すように、選択された全ての構造金物の種類（型番）とその個数を示すリストからなる。これらを用いて構造金物を発注すれば間違いなく建築に必要な全ての構造金物の準備ができる。また、建設現場へ出荷時にもこの発注情報を参照して構造金物が確実にそろっているかを確認できる。また、構造金物の取り付け位置が決まると同時に構造金物を取り付けるためのプレカット情報が得られる。図４（ｂ）に示したプレカット情報は、大壁管柱のＨＤ金物や接合金物の取り付け位置情報と柱の端部の加工情報とを含む情報になっている。プレカット工場では、この情報に基づいて、大壁管柱の端部の加工と共に構造金物取り付けのためのプレカット加工処理を実行できる。
【００２１】
図５の（ａ）は土台のプレカット情報の説明図、（ｂ）は構造金物の部品情報説明図である。
土台についても、この図に示すようなプレカット情報が生成される。なお、構造金物に関わりのないプレカット情報は、別途用意されたプレカット制御システム側で従来どおりの方法で生成されればよい。上記のプレカット情報生成手段６（図１）は、構造金物を必要とする部材のプレカット情報に、構造金物取り付けに必要な付加的な情報を追加する機能があれば足りる。また、例えば、構造金物にアンカーボルトが選択された場合には、図の（ｂ）に示すように、取り付け位置や付属品を示す情報を含む属性情報を用意する。これによってアンカーボルトの付属品を含めて必要な部品の発注等を確実に行うことができる。従って、付属品が不足して現場作業が滞るといった事態を防止できる。図２に示す詳細ボタン２０Ｄをクリックすることにより、こうした情報を表示するように構造金物情報を整備することが好ましい。
【００２２】
図６は、本発明のシステムの変形例を示すブロック図である。
この例では、図に示すように、図１に示したホストコンピュータ１０をウェブサーバ４０を介してネットワーク４１に接続する。ウェブサーバ４０の記憶装置４３には、上記のような内容の構造金物取り付け指示書のウェブページ４４が記憶されている。現場担当者は、モバイルコンピュータ４５を利用して、記憶装置４３に記憶されたウェブページ４４を参照する。これによって、現場担当者は、建設現場４６に到着した資材４７中の各プレカット材の目録や構造金物の仕様、取り付け方法や部品の配置、その他の情報を取得できる。
【００２３】
図７は、構造金物取り付け指示書のウェブページの内容説明図である。
図２に示したＣＡＤデータに付加された構造金物情報は、工事現場での取り付け作業に使用することもできる。しかしながら、複雑な構造金物の取り付け状態や部品の使用方法等をより詳細に案内することで、現場作業を間違いなく指示できる。そこで、まず、図７（ａ）に示すような図面を用意する。ここには、例えば部材３０と３１の接点における管柱３２の状態と、この管柱３２を部材３０と３１上に固定するためのホールダウン金物の取り付け位置が示されている。シンボル３３は、ホールダウン金物を示すマークである。これが現場作業者のモバイルコンピュータに映しだされた時、カーソル４を図の実線の矢印の状態に移動させてクリックすると、図の（ｂ）に示すような具体的なホールダウン金物を含む構造の一部の斜視図が表示される。これによって使用部品やその取り付け状態が一目瞭然になる。また、図の（ａ）に示した破線の矢印の状態にカーソルを移動してクリックすると、図の（ｃ）に示すように、別の方向から見た構造の一部の斜視図が表示される。なお、（ｃ）は（ｂ）と同一の内容になるため、詳細な図示は省略した。
【００２４】
以上のように、ウェブサーバ４０に構造金物取付指示書のウェブページ４４を用意してモバイル端末により閲覧を可能にすることで、工事現場における構造金物の誤りのない迅速な工事が可能になる。取付指示書をウェブページにより提供するのは、工事担当者が必要に応じて随時参照できるようにするためである。ウェブサーバへの登録は自動処理でなくてもよい。従って、取付指示書をプリンタで印刷して発行しても構わない。また、発注情報やプレカット情報は必ずしもプリンタで印刷をして発行しなくても構わない。例えば、オンラインでホストコンピュータから発注先やプレカット工場にメールやデータとして転送されても構わない。また、ウェブページ化してウェブサーバから閲覧できるようにしても構わない。
【００２５】
【発明の効果】
以上のように、本発明のシステムによれば、建物の設計用ＣＡＤデータからコンピュータが自動的に構造金物の取り付け位置や種類を決定するので、誤りなく必要箇所に構造金物を取り付けるための準備ができる。また、この結果を利用して構造金物を手配すれば、確実に必要な構造金物を建設現場に届けることができる。さらに、上記の結果に基づいてプレカット処理をすれば、現場で構造金物を取り付ける作業を効率化でき工期短縮を図ることができる。上記のような発注情報やプレカット情報や作業指示書の内容をサーバに記憶させておいて、いつでもインターネット等のネットワークを通じて、プレカット工場の担当者や建設現場の担当者が閲覧をして確認できるようにすれば、構造金物の取り扱いをより徹底させることができる。
【図面の簡単な説明】
【図１】本発明のシステムの概要を示すブロック図である。
【図２】この発明を実施した建物の設計用ＣＡＤデータの主要部説明図である。
【図３】（ａ）は構造金物の要否を判定しその種類を選択するための構造金物選択テーブルの説明図で、（ｂ）はホールダウン金物型番選択テーブルの説明図である。
【図４】（ａ）は、発注情報の内容説明図である。また、（ｂ）はプレカット情報の内容説明図である。
【図５】（ａ）は土台のプレカット情報の説明図、（ｂ）は構造金物の部品情報説明図である。
【図６】本発明のシステムの変形例を示すブロック図である。
【図７】構造金物取り付け指示書のウェブページの内容説明図である。
【符号の説明】
１  記憶装置
２  ＣＡＤデータ
３  情報取得手段
４  構造金物決定手段
５  発注情報生成手段
６  プレカット情報生成手段
７  干渉検出手段
８  取付指示書生成手段
１０  ホストコンピュータ
１５、１６  プリンタ
【図１】
0003732417.tif 000002
【図２】
0003732417.tif 000003
【図３】
0003732417.tif 000004
【図４】
0003732417.tif 000005
【図５】
0003732417.tif 000006
【図６】
0003732417.tif 000007
【図７】
0003732417.tif 000008